(57)【要約】【課題】本発明の課題は、電子メールシステムでメールアドレスなどの個人情報を保護したメール通信を実現することにある。【解決手段】前記課題は、電子メールデータのうち、個人情報の固まりである送信宛先および発信者のメールアドレスなどの個人情報をヘッダー情報、そしてメール本文と２つに分けて、それぞれにメッセージＩＤを付加し、前者は送信宛先である受信者の端末に、後者はメールサーバに保存し、受信者の表示要求でメール本文を表示することによって達成される。【選択図】図１
2007288703.tif 000002
【特許請求の範囲】
【請求項１】
送信者の端末で作成し、メールサーバに受付けたメールデータに、受付順にメッセージ
ＩＤを付加し、さらに宛先である送信先かつ発信元氏名もしくはメールアドレスで表記さ
れた個人情報を含むヘッダー情報とメールそのものである本文部を切り分けて、本文にも
ヘッダー情報ごとに対応付けたメッセージＩＤを付加して、前者は指定された送信宛先に
該当する受信者の端末へ、後者はメールサーバへ別々に保管する電子メールシステム。
【請求項２】
請求項１において、受信者は、端末へ着信し画面に表示されたメール主題からメール本
文の画面へ表示要求することを選択することで、着信したメールの当該ヘッダー情報に付
加されているメッセージＩＤをメールサーバに送信して、メールサーバに保管されている
メール本文のメッセージＩＤと照合・検索して、受信者の端末に該当するメール本文を表
示する電子メールシステム。
【請求項３】
請求項１において、メールの利用者である利用者の氏名、メールアドレス、住所などの
個人情報ファイルである利用者ＤＢを保持している送信者/受信者端末の場合、送信時に
氏名によるメール宛先指定と受信時にメール宛先、発信者氏名をメール作成/送信部また
はメール受信表示部への表示を可能にする電子メールシステム。
【請求項４】
請求項１において、受信者は着信したメールを削除要求すると、受信者の端末に保存さ
れている当該メールのヘッダー情報のうち、メッセージＩＤがメールサーバに送信して、
メールサーバに保管されているメール本文のメッセージＩＤと照合・検索してメール本文
が削除され、次に、受信者の端末で指定したメールのヘッダー情報を削除することが可能
な電子メールシステム。
【請求項５】
請求項１、請求項２、請求項３、または請求項４を実現するための手順が電子的に記録
された媒体。
【請求項６】
請求項１、請求項２、請求項３、または請求項４を実現するための手順が電子的に記録
された装置。
【発明の詳細な説明】
【技術分野】
【０００１】
本発明は、メール利用者に対し、電子メール送受信システム上でアドレス、氏名などの
個人情報を保護する技術に関する。
【背景技術】
【０００２】
従来は図１０で示すとおり、メールサーバ９００にメールデータファイル９０３を保持
し、送信端末９１０から着信したメールデータを受信者ごとに設けたメールボックスなど
によるファイル保管をして受信端末９２０からの表示要求でメールを画面に表示するもの
である。この電子メールシステムで悪意持った第三者からの不正アクセス等からメールア
ドレスなどを保護するために暗号化して保管する試みがある（例えば特許文献１を参照）
。また、別の方法として成りすましや偽造や改ざんを排除しながら、利用者の電子メール
の転送に関する設定を容易に、また、速やかに変更できるように自動転送システムの設定
変更処理で電子メールアドレスを公開しなくても電子メールの交換の相手を容易に選択で
きる方法を述べている（例えば特許文献２を参照）。
【０００３】
【特許文献１】特開２００５−３２６９３３号公報
【特許文献２】特開２００５−２９２９２０号公報
【発明の開示】
【発明が解決しようとする課題】
【０００４】
上記の従来技術においては、いずれもメールサーバにアドレスが残ることは変わらず、
前者は暗号の復号処理、後者は転送のための変換ファイルの対応付けからアドレスを知ら
れる恐れがあった。
【０００５】
本発明の目的は、電子メールシステムでメールアドレスなどの個人情報を保護したメー
ル通信を実現することである。
【課題を解決するための手段】
【０００６】
メールサーバが着信した電子メールデータを、個人情報の固まりである送信宛先および
発信者のメールアドレスなどの個人情報をヘッダー情報として、そしてメール本文と２つ
に分けて、それぞれにメッセージＩＤを付加し、前者は送信宛先である受信者の端末に、
後者はメールサーバに保存し、受信者の表示要求でメール本文を表示できるようにした。
【発明の効果】
【０００７】
メールサーバにメールアドレスなどの個人情報を残さないので、個人情報の保護が図れ
る。
【発明を実施するための最良の形態】
【０００８】
以下図面を用いて発明を詳細に説明する。
【０００９】
図１は本発明の送信者端末１１０、メールサーバ１００、受信者端末１２０からなる電
子メールシステムをネットワーク１９０に介して実施した場合の例である。
【００１０】
利用者が送信者端末１１０のメール作成部１１１で、メールデータ２１０を作成すると
、アドレス情報取得部１１２で送信者端末が保持している利用者ＤＢ１１３のアドレス情
報ｄ１１１から、図２の送信先２１１と発信元２１２のメールアドレスを設定し、主題２
１３、本文２１４とともにアドレス設定後のメールデータ２２０としてメール送信部１１
４がネットワーク１９０介してメールサーバ１００に発信される。
【００１１】
メールサーバ１００は、受付けたアドレス設定後のメールデータ２２０を、メッセージ
ＩＤ付加部１０１で、メールデータ２２０に図３のヘッダー情報３１０１としてメッセー
ジＩＤ３１１１を付加する。さらに、メール情報切り分け処理部１０２で、メールデータ
２２０を図３のヘッダー情報３１０１と図５のメッセージＩＤ別メール本文３１０２と２
つに分割し、メッセージＩＤ処理部１０３で、メッセージＩＤ別メール本文３１０２はメ
ールサーバ１００上のメッセージＩＤ別メール本文ファイル１０４に格納させて、ヘッダ
ー情報３１０１はヘッダー情報送受信部１０５で受信者端末１２０へ送信し、メッセージ
ＩＤ別ヘッダー情報ファイル１２４に格納させる。
【００１２】
メールサーバ１００に格納されているのはメッセージＩＤ別メール本文ファイル１０４
だけであり個人情報となり得るメールアドレスなどが残っていない。
【００１３】
次に、受信者端末１２０は、メールサーバ１００から送付されたヘッダー情報３１０１
をヘッダー情報送受信部１０５で受信し、アドレス情報取得部１２５で、利用者ＤＢ１２
６からアドレス情報ｄ１２１を参照し、発信者情報の有無によるアドレス変換を実施して
、ヘッダー情報処理部１２３でメッセージＩＤ別ヘッダー情報ファイル１２４に格納され
る。また、メール送受信／表示部１２1で、ヘッダー情報３１０１を受信者端末が保持し
ている利用者ＤＢ１２６を基に送信先氏名２１１と発信元２１２を明記された着信したメ
ール一覧が表示させることができ、さらに、メール一覧からヘッダー情報３１１０を選択
するとメールサーバ１００のメール本文２１４を受信者端末１２０のメール送受信/表示
部１２1で画面表示、またはメール削除部１２２より不要となったメールを削除すること
ができる。
【００１４】
図２は、メールデータ２１０の送信時、送信者端末１１０のアドレス情報取得部１１２
が利用者ＤＢ１１３のアドレス情報ｄ１１１を利用してアドレス変換した場合の例を述べ
る。
【００１５】
送信者端末１１０で、利用者Ａが利用者Ｓ２宛のメールデータ２１０を作成すると、利
用者の送信端末１１０内のメール作成部１１１で、送信者端末の利用者ＤＢ１１３のアド
レス情報ｄ１１１から発信元氏名１１１１およびメールアドレス１１１２を参照し、
送信先：Ｓ２（２１１）、発信元である利用者：Ａ（２１２）、メールタイトルである主
題２１３そしてメール内容である本文２１４から成るメールデータ２１０が、送信先：Ｓ
２のメールアドレス”wxy＠wrd.co.jp”、利用者自身である発信元：Ａのメールアドレス
”aaa＠qqq.co.jp”で、送信先：Ｓ２のメールアドレス”wxy＠wrd.co.jp”２２１、発信
元：Ａのメールアドレス”aaa＠qqq.co.jp”２２２がアドレス変更後のメールデータ２２
０を生成する。なお、メールデータ２1０の送信先２１１が、初めからメールアドレスで
書いてもメール送信には差し支えないことは言うまでも無いことである。
【００１６】
これより、メールサーバ１００に個人情報である利用者のメールアドレスを保管する必
要が無くなる。
【００１７】
図３は、メールデータ２２０のうち、ヘッダー情報３１０１の着信と受信者端末１２０
のアドレス情報取得部１２５で、利用者ＤＢ１２６のアドレス情報ｄ１２１によるアドレ
ス変換した場合の例を述べる。
【００１８】
受信者端末１２０に着信したメールの情報は、メッセージＩＤ３１１１および個人情報
である送信者すなわち発信元のメールアドレス”aaa＠qqq.co.jp”２２２、受信者端末１
２０の利用者であり着信宛先であるＳ２のメールアドレス”wxy＠wrd.co.jp”２２１そし
て主題２１３が含まれているメッセージＩＤ別ヘッダー情報３１０１である。
【００１９】
アドレス情報である発信元Ａ２１２および着信宛先Ｓ２の氏名が、受信者端末１２０が
保持している利用者ＤＢ１２６のアドレス情報ｄ１２１でメールアドレス１２１２を照合
して登録されている氏名：Ａ２１２がメール送受信／表示部１２1の画面に一覧表示され
る。なお、なお、発信元が送信先氏名１２１１として、受信者端末が保持している利用者
ＤＢ１２６のアドレス情報ｄ１２１に載っていない場合は、発信元のアドレスがそのまま
で表示されることは自明である。
【００２０】
図４は送信者端末１１０で作成したメールデータ２１０を発信するまでの処理フローで
ある。
【００２１】
まず、メール作成部１１１で、主題２１３およびメール本文２１４からなるメールデー
タ２１０を作成し（Ｓ４０１）、送信先２１１を選択する（Ｓ４０２）。選択できた場合
はメールデータ２１０の送信先２１１に利用者ＤＢ１１３のアドレス情報ｄ１１１の氏名
１１１１から該当するアドレス１１１２を取り込む（Ｓ４０３）。次に発信者のアドレス
１１１２も取り込む（Ｓ４０５）。そしてメールサーバ１００にメールデータ２２０を送
信する（Ｓ４０６）。
【００２２】
もし、利用者ＤＢ１１３のアドレス情報ｄ１１１に送信先２１１のアドレスが無かった
場合、送信先２１１は手入力でアドレスを入力する（Ｓ４０４）。そして発信者のアドレ
ス１１１２も取り込む（Ｓ４０５）。そしてメールサーバ１００にメールデータ２２０を
送信する（Ｓ４０６）。
【００２３】
図５はメールサーバ１００におけるメールデータ２２０の遷移図である。
【００２４】
送信者端末１１０でメール送信部１１４から発信しようとするメールデータ２２０は送
信先氏名／メールアドレス２２１、発信元氏名／メールアドレス２２２、受信者端末１２
０のメール送受信／表示部１２１で着信メール一覧に表示されるメールのタイトルである
メール主題２２３そしてメール内容であるメール本文２２４から成っている。
【００２５】
メールサーバ１００に受付けたメールデータ２２０が、メッセージＩＤ付加部１０１で
メッセージＩＤ１・・・・・メッセージＩＤｎ−ｈ３１１１が追記される。
【００２６】
次にメッセージＩＤ３１１１が付加されたメールデータ２２０はメール情報切り分け処
理部１０２で、メッセージＩＤ３１１１が付加されたメールデータ２２０であることを確
認し、メッセージＩＤ３１１１が追記されたメールメッセージＩＤ別ヘッダー情報３１０
１、メッセージＩＤ別メール本文３１０２を作成する。
【００２７】
図６はメールサーバ１００で、メールデータ２２０を分割し、保管するまでの処理フロ
ーである。
【００２８】
メールデータ２２０が、送信者端末１１０から送付されメールサーバ１００に着信する
（Ｓ６０１）。
【００２９】
メールサーバ１００は、着信したメールデータ２２０を受け付けてメール通し番号であ
るメッセージＩＤ３１１１をメールデータ２２０のヘッダー情報３１０１として追記する
。
【００３０】
このときはメール本文２２４切り離されずに一緒である（Ｓ６０２）。さらにメッセー
ジＩＤを付加したメールデータは、メールの送信者アドレス２２１、発信元アドレス２２
２およびメール主題２２３が含むヘッダー情報３１０１とメール内容そのものを切り分け
て（Ｓ６０３）、メール本文２２４はメッセージＩＤ３１１１と対応取れるようにする（
Ｓ６０４）。メッセージＩＤ３１１１を付加したヘッダー情報３１０１は、送信先アドレ
ス２２１で、発信元氏名／メールアドレス２２２、メール主題２２３を受信者端末１２０
に送信される（Ｓ６０５）。
【００３１】
さらにヘッダー情報の送信の終わったメール本文３１０２は、メッセージＩＤ別メール
本文ファイル１０４に格納される（Ｓ６０６）。
【００３２】
図７、図８は利用者が受信者端末１２０にメール本文２２４を表示、またはメールを削
除するまでの処理フローである。
【００３３】
利用者は受信者端末１２０のメール受信画面１２３に着信したメールを一覧表として表
示する（Ｓ７０１）。
【００３４】
利用者が、表示された着信メール一覧上のメール情報をクリックしてメール本文２２４
の表示を要求すると（Ｓ７０２、Ｓ７０３））、メッセージＩＤ３１１１でメッセージＩ
Ｄ別ヘッダー情報ファイル１２４から該当するヘッダー情報３１１０を取り出し、メール
本文２２４の表示要求のあったメール情報の基であるヘッダー情報３１０１がメールサー
バ１００に送付される（Ｓ７０４）。
【００３５】
メールサーバ１００にヘッダー情報３１０１を受信すると（Ｓ８０１）ヘッダー情報３
１０１の処理を確認し（Ｓ８０２）、メール本文の表示の場合はメッセージＩＤ処理部１
０３で、受信したヘッダー情報３１０１のメッセージＩＤ３１１１を基に、メッセージＩ
Ｄ別メール本文ファイル１０４から該当するメール本文３１０２を検索・照合で抽出して
ヘッダー情報３１０１と一緒にメールデータとして受信者端末１２０に送信する（Ｓ８０
３、Ｓ８０４）。そして、受信者端末１２０にメール本文の表示が可能になる（Ｓ７０５
）。
【００３６】
別件として、受信者端末１２０からメールを削除する場合は以下のとおりとなる。
【００３７】
受信者端末１２０に表示されている着信メール一覧上のメール情報をクリックしてメー
ル本文２２４の削除を要求すると（Ｓ７０２、Ｓ７０６）、メッセージＩＤ３１１１でメ
ッセージＩＤ別ヘッダー情報ファイル１２４から該当するヘッダー情報３１１０を取り出
し、メール本文２２４の表示要求のあったメール情報の基であるヘッダー情報３１０１が
メールサーバ１００に送付される（Ｓ７０７）。
受信したヘッダー情報３１１０（Ｓ８０１）に対してメールデータ削除の場合（Ｓ８０２
）当該のヘッダー情報３１０１の削除指示に従い、メッセージＩＤ別メール本文ファイル
１０４からヘッダー情報３１１０のメッセージＩＤ３１１１を基に削除する（Ｓ８０５）
。
【００３８】
さらに、該当ヘッダー情報３１１０を基に受信者端末１２０にメール削除指示を送信し
（Ｓ８０６）、受信者端末に残っていた該当するヘッダー情報３１０１も削除される（Ｓ
７０８）。
【００３９】
これより、メールサーバ１００、受信者端末１２０で個人情報の保護ができる。
【００４０】
図９は受信者端末１２０でヘッダー情報３１０１がメッセージＩＤ別ヘッダー情報ファ
イル１２４に格納するまでの処理フローである。
【００４１】
まず、発信元情報２２２で、利用者ＤＢ１２６からアドレス情報ｄ１２１を検索し、取
得できた場合は発信者情報を取り込んだヘッダー情報３１１０、無い場合はそのままのヘ
ッダー情報３１０１としてメッセージＩＤ別ヘッダー情報ファイル１２４に格納する。
【図面の簡単な説明】
【００４２】
【図１】本出願の実施例1で述べた電子メールシステムの例である。
【図２】本出願の電子メールシステムにおいて、メールデータの送信時、送信者端末の利用者ＤＢを利用してアドレス変換した場合の例である。
【図３】本出願の電子メールシステムにおいて、メールデータのうち、ヘッダー情報の着信と受信者端末の利用者ＤＢによるアドレス変換の例である。
【図４】本出願の電子メールシステムにおいて、送信者端末がメールデータを発信するまでの処理フローである。
【図５】本出願の電子メールシステムにおいて、メールサーバが、送信者端末から送付されたメールデータをメールサーバに格納するメッセージＩＤ別本文と受信者端末に送信して格納する当該メールのヘッダー情報と分割して保管の例である。
【図６】本出願の電子メールシステムにおいて、メールサーバが、送信者端末から送信されたメールデータにメッセージＩＤを付加してメールのヘッダー情報と本文を分割して別保管させるための処理フローである。
【図７】本出願の電子メールシステムにおいて、受信者端末に表示されている着信メール情報の本文を表示するまでの受信者端末およびメールサーバの処理フローである。
【図８】本出願の実施例２で述べた配信処理も行う電子メールシステムの例である。
【図９】電子メールシステムの概念図である。
【図１０】電子メールシステムの概念図である。
【符号の説明】
【００４３】
１００…本発明のメールサーバ、１０１…メッセージＩＤ付加部、１０２…メール情報
切り分け処理部、１０３…メッセージＩＤ処理部、１０４…メッセージＩＤ別メール本文
ファイル、１０５…ヘッダー情報送受信部、１１０…送信者端末、１１１…メール作成部
、１１２…送信者端末が保持している利用者ＤＢに用いるアドレス情報取得部、１１３…
送信者端末が保持している利用者ＤＢ、１１４…メール送信部、ｄ１１１…送信者端末が
保持している利用者ＤＢ内のアドレス情報、１１１１…送信者側が登録してある氏名、１
１１２…送信者側が登録してあるメールアドレス、１２０…受信者端末、１２１…メール
送受信／表示部、ｄ１２１…受信者端末が保持している利用者ＤＢ内のアドレス情報、１
２１１…受信者側が登録してある氏名、１２１２…受信者側が登録してあるメールアドレ
ス、１２２…メール削除部、１２３…ヘッダー情報処理部、１２４…メッセージＩＤ別ヘ
ッダー情報ファイル、１２５…受信者端末が保持している利用者ＤＢ、１２６…受信者端
末が保持している利用者ＤＢに用いるアドレス情報取得部、１９０…ネットワーク、２１
０…メールデータ、２１１…送信先氏名、２１２…発信元、２１３…主題、２１４…メー
ル本文、２２０…アドレス変換後のメールデータ、２２１…送信先氏名／アドレス、２２
２…発信元氏名／アドレス、３１０１…ヘッダー情報、３１１０…アドレス変換後のヘッ
ダー情報、３１１１…ヘッダー部に付加したメッセージＩＤ、３１０２…メール本文、９
００…従来のメールサーバ、９０１…従来のメールサーバでの受付処理部、９０２…従来
のメールサーバでの配信処理部、９０３…メールデータファイル、９１０…送信端末、９
２０…受信端末。
【図１】
2007288703.tif 000003
【図２】
2007288703.tif 000004
【図３】
2007288703.tif 000005
【図４】
2007288703.tif 000006
【図５】
2007288703.tif 000007
【図６】
2007288703.tif 000008
【図７】
2007288703.tif 000009
【図８】
2007288703.tif 000010
【図９】
2007288703.tif 000011
【図１０】
2007288703.tif 000012